(57)【要約】【課題】【解決手段】アウトソール１が特定の向きにされるスタッド５に対する受け部２を有する、スタット付き履物製品用のアウトソールである。アウトソール１は、アウトソール１と一体に形成された牽引力要素７も有している。スタッド５及び牽引力要素７は、履物の使用時、相互に作用可能な構造及び配置とされている。牽引力要素７は、スタッド５のスパイクの形態と相補的となるような設計とされている。
2005522251.tif 000002
【特許請求の範囲】
【請求項１】
特定の向きにされるスタッド（５）のための受け部（２）を有する、スタッド付き履物製品用のアウトソール（１）において、該アウトソール（１）と一体に形成された牽引力要素（７）を更に有し、前記スタッド（５）及び前記牽引力要素（７）が、履物の使用時に相互作用し得るような構造及び配置とされることを特徴とする、スタッド付き履物製品用のアウトソール（１）。
【請求項２】
請求項１に記載のスタッド付き履物製品用のアウトソールにおいて、前記スタッド（５）が動的スパイク（６ａ）を有する、アウトソール。
【請求項３】
請求項２に記載のスタッド付き履物製品用のアウトソールにおいて、前記牽引力要素（７）が、少なくとも１つのスパイク（６）の少なくとも一方の周辺側部に形成される、アウトソール。
【請求項４】
請求項２に記載のスタッド付き履物製品用のアウトソールにおいて、前記牽引力要素（７）が、少なくとも１つのスパイク（６）の両周辺側部に形成される、アウトソール。
【請求項５】
請求項１ないし４の何れかに記載のスタッド付き履物製品用のアウトソールにおいて、前記牽引力要素（７）が、アウトソール（１）から任意の適宜な角度にて延びるようになされている、アウトソール。
【請求項６】
請求項１ないし５の何れかに記載のスタッド付き履物製品用のアウトソールにおいて、前記牽引力要素（７）が、Ｖ字形又は三角形の輪郭外形である、アウトソール。
【請求項７】
請求項２ないし６の何れかに記載のスタッド付き履物製品用のアウトソールにおいて、前記牽引力要素（７）が、前記スタッド（５）の前記スパイク（６）の形態と相補的となるように設計されている、アウトソール。
【請求項８】
請求項１ないし７の何れかに記載のスタッド付き履物製品用のアウトソールにおいて、前記スタッド（５）がゴルフ靴用である、アウトソール。
【発明の詳細な説明】
【技術分野】
【０００１】
本発明は、例えば、フットボール靴及びゴルフ靴といったスポーツ靴のようなスタッド付き履物に関する。「フットボール」という語は、サッカー、ラグビー、アメリカンフットボール及びオーストラリアンフットボールのようなフットボールとして知られた全てのスポーツを包含することを意図するものである。
【背景技術】
【０００２】
スタッドは、関係するスポーツに適した型式の地面係合部分を有して、牽引力（トラクション）を提供することを目的とする。このため、フットボール用のスタッドは、比較的鋭い地面突刺しスパイクを有する傾向となる一方、ゴルフ靴用のスタッドは、現在、比較的柔らかく且つ鈍角な地面把持スパイクを有している。スタッドは、履物製品のソール（底）に取り外し可能に取り付けられる。スタッドの取り付けには、該スタッドに設けられたねじ付きスピゴットが利用される。ねじ付きスピゴットは、これに相応するねじを付けられたソケット内に係合する。ソケットは受け部（レセプタクル）に設けられ、受け部は、靴のソール内にモールド成形されるか、又はさもなければ靴のソールに固定される。ねじは一条ねじ又は多条ねじとすることができ、スタッド及びソケットは、スタッドの偶発的なゆるみ抜けを阻止し得るように係止ラチェットも内蔵している。
【０００３】
スタッドは、履物に対する牽引力の全部ではないにしても、その殆どを与え、また、１つのスポーツ用の場合でさえ、異なる型式のものであることがある。このため、ゴルフスタッドは、スパイクに圧力が加わったときに撓むような動的（ダイナミック）スパイクを有したり、又は撓まない静的（スタティック）スパイクを有することができる。動的スパイクは、圧力が加えられる面又は加えられ方によっては、常に意図したように撓むとは限らない。
【０００４】
従来、殆どのスタッドは円形であるか、又はさもなければ回転対称形であるから、靴のソールに対するスタッドの回転角度方向決めする必要はなかった。このため、靴のソールに対するスタッドの最終の回転角度方向の向きは関係がない。
【発明の開示】
【発明が解決しようとする課題】
【０００５】
しかし、スタッドに加わる力が、側方への力であるとか、靴の着用者が急激に前方へ加速することに起因する力であるというように、特殊なものであったり、比較的大きい力であったりする幾つかのスポーツにおいては、特定の向きにされるスタッドであればより効果的である（「特定の向きにされるスタッド」という語は、回転非対称形のスタッド、及び、回転対称形であるが、靴のソールに対するその向きが重要であるようなスタッドを含むように使用される）。特定の向きにされるスタッドは、スタッドが所望の仕方にて作用することを保証し得るように、靴のソールに対して極めて正確に向きを決められなければならない。殆どの既知のねじ及び係止ラチェットは、この正確な向きを与えることができない。本発明により、受け部に対するスタッドの正確な向きを保証するシステムが開発された。ソール内における受け部の向きを決めることにより、ソールに対してスタッドの向きを正確に決めることができる。
【課題を解決するための手段】
【０００６】
本発明によれば、スタッド付き履物製品用のアウトソールは、特定の向きにされるスタッド用の受け部と、アウトソールと一体に形成された牽引力要素とを有しており、スタッド及び牽引力要素は、履物を使用するとき、互いに相互作用するような構造及び配置とされている。
【０００７】
アウトソールに対しスタッドの向きを正確に決めることが可能であるということは、牽引力要素がスタッドと協働してアウトソールの全体的な牽引力を向上させるようにアウトソールを設計することが可能であることを意味する。
【０００８】
したがって、ゴルフ靴用のスタッドが動的スパイクを備える場合、牽引力要素は、少なくとも１つのスパイクの一方又は両方の周辺側部に形成することができる。この場合、牽引力要素は、スパイクが撓むときにスパイクを案内することができ、また、静的又は動的牽引力要素としても作用する。牽引力要素は、アウトソールから任意の適宜な角度にて延びるようにすることができる。これらの牽引力要素は、Ｖ字形又は三角形の輪郭外形とすることができる。
【０００９】
牽引力要素は、スタッドのスパイクの形態と相補的であるような設計とすることができる。スタッドの形態は、アウトソール内でのスタッドの位置および使用中にアウトソールに加わる力に依存することになろう。
【００１０】
本発明の１つの実施の形態は、添付図面に単に一例として図示されている。
【発明を実施するための最良の形態】
【００１１】
図１のアウトソール１は、スタッド付きゴルフ靴用のものである。アウトソール１は、ゴムにて成形されており、また、幾つかの受け部２を内蔵し、該受け部２は、ソール３及びヒール４上の適宜な配置位置にてアウトソール１内に成形されている。受け部２の各々は、特定の向きにされるスタッド５（その１つのみを図示）を受け入れ得るようにされている。スタッド５は、地面係合スパイク６を有している。アウトソール１は、該アウトソールと一体に形成された牽引力要素７を有しており、該牽引力要素７は、使用時、スパイク６と相互作用する。
【００１２】
スタッド５の各々は、プラスチック材料の単一物モールド成形品である。各スタッド５はフランジ８を有している。フランジ８の上側部からは、ねじ付きスピゴット９が突き出ている。一方、フランジ８の下側部からはスパイク６が突き出ている。圧力が加えられたときに撓む３つの動的スパイク６ａと、撓まない５つの静的スパイク６ｂとがある。
【００１３】
スピゴット９は、スタッド５を半回転にて受け部２内に挿入することができるように比較的急峻なヘリックス角度を有する多条外ねじ１０を備えている。受け部２に対するスタッド５の当初位置を画成するため、スピゴット９におけるねじの１つの条は、他の条と相違させ、受け部２に対するスタッド５の１つの位置でのみ、ねじ１０が係合することができるようにする。
【００１４】
ねじの比較的急峻なヘリックス角度のため、スタッド５のねじゆるみ抜けに対する摩擦抵抗は比較的小さい。このため、スタッド５及び受け部２は、係止手段１１を有している。係止手段１１は、スタッド５上にリング状に配置された弾性的なポスト（支柱）１２を備える。該弾性的ポスト１２は、受け部２内にリング状に配置された歯２５と協働する。歯２５がポスト１２と係合することにより、ポスト１２は撓み、また、歯２５がポスト１２間に入り込むようにして係合することより、係止手段が相互係合状態となる。このことは、スタッド５を受け部２内に固定し、且つ、受け部２に対するその最終位置を画定する働きをすることになる。次に、スタッド５は、完全に係合したとき、受け部２内で正確に向きを決められる。
【００１５】
弾性的ポスト１２は、フランジ８の上側部から軸方向に延びている。これらのポストは、スピゴット９を取り巻き、且つ、スピゴット９と同心状のリングを形成する。スタッドの軸線の周りで均一に分配された配置の６つのポスト１２がある。ポスト１２の各々の軸方向への延びは、スピゴット９の軸方向高さの約１／２であり、また、ポストの各々は、半径方向に弾性的である。ポスト１２の各々の半径方向外面は、下側の部分円筒状部分１３と、上側の部分円錐状部分１４とを有している。ポスト１２の各々の最上面１５は、スピゴット９に向けて上方に角度が付けられており、このため、ポスト１２の各々の半径方向内面１６は、最大の軸方向高さを有する。半径方向内面１６は、スピゴット９に向けて全体として凸状であり、中央の凸状領域１７と、スピゴット９に向けた凹状の輪郭外形を有する第一の周端部１８と、スピゴット９に向けた凸状の輪郭外形を有する第二の周端部１９とを備えている。スタッド５の挿入時、第一の周端部１８は先端となり、第二の周端部１９は後端となり、スタッドを除去するときはその逆となる。第一の周端部１８の凹状の輪郭外形は、スタッドの挿入時の抵抗を小さくする一方、第二の端部２９の凸状の輪郭外形はスタッドの除去時、より大きい抵抗を与える。
【００１６】
受け部２もまた、プラスチック材料の単一物モールド成形品である。受け部２は、該受け部から垂下する中央ボス２１を有する円板の頂部板２０を備えている。受け部２は、頂部板２０によりアウトソール１に錨止（定着）されており、該頂部板は、受け部２がアウトソール１に対し正確に向きを決められることを保証する手段（図示せず）を有することができる。
【００１７】
ボス２１は、堅牢な円筒壁２２を備えている。円筒壁２２には、スピゴット９を受け入れ得るようにされた内ねじ付きソケット２３が形成されている。ソケット２３もまた、多条ねじを有している。ねじ溝の一つは、他の溝とは異なり、同様に他の条とは異なるスピゴット９のねじの一つの条と相補的である。ボス２１の半径方向外面２４には、軸方向に延び且つリング状に配置された歯２５としての、係止手段１１の他方の部分が形成されている。歯２５は、面２４から半径方向外方に突き出している。歯２５は全体として三角形の断面であるが、丸味を付けた頂点を有している。
【００１８】
歯２５がソケットの軸線から半径方向に突き出す距離は、第一の周端部１９におけるポスト１２の内面の距離に実質的に等しい。このため、歯２５とポスト１２との間に半径方向への干渉が存在し、これによりスタッド５及び受け部２の相対的な回転に対する摩擦抵抗が生ずる。
【００１９】
スタッド５は、スピゴット９をソケット２３内に挿入することで取り付けられる。他とは異なるねじの条及び溝が存在するため、螺合接続部が係合可能である位置は１つしかない。スピゴット９は、回転するとき、ソケット２３内に引き込まれる結果、歯２５がポスト１２と係合する。ポスト１２は、歯２５がポスト１２を経て（通過して）動くのを許容し得るように、弾性的に半径方向に撓む。スピゴット９が１８０度回転したならば、スタッド５は、受け部２内に完全に挿入され、且つ、歯２５及びポスト１２が相互に係合することで固定される。
【００２０】
このように、受け部２内のスタッド５の位置は、螺合及び係止手段１１により正確に決定される。アウトソール１に対する受け部２の位置も正確に定められるから、スタッド５のスパイク６ａ、６ｂは、アウトソール１に対して正確に定められた位置にあり、このため、スパイクは、使用時、アウトソール１の牽引力要素７と相互作用することができる。
【００２１】
図面に示すように、４つの牽引力要素７が設けられており、動的スパイク６ａの各々の周辺側部の各々に１つの牽引力要素があるようになされている。牽引力要素７の各々は、実質的に三角形の形態をしており、且つ、アウトソール１から突き出している。牽引力要素７の各々の軸方向高さは、動的スパイク６ａの軸方向の延びよりも低い。図示した要素７は、アウトソール１に対し実質的に直角に突き出しているが、任意の適宜な角度としてもよい。
【００２２】
使用時、靴を履いたとき、靴に加わる着用者の体重により動的スパイク６ａは、半径方向外方に撓む。その動きは、牽引力要素７により案内され、次に、牽引力要素は、地面と係合し、静的スパイクとしてさらなる牽引力も提供する。
【００２３】
牽引力要素７の構造及び配置は、使用されるスタッド５と相補的であるような設計とすることができることが理解されよう。このため、牽引力要素７は、種々異なる形態を有し、且つ、動的に又は静的に作用可能であるようにすることができる。異なるねじ形態及び係止手段を必要に応じてスタッド及び受け部に使用することができることも理解されよう。
【図面の簡単な説明】
【００２４】
【図１】１つのスタッドが取り付けられたゴルフ靴用のアウトソールの下側平面図である。
【図２】図１のスタッドの側面図である。
【図３】スタッドの頂面図である。
【図４】受け部の下側平面図である。
【図５】図１の線５−５に沿った切欠き断面図である。
【図１】
2005522251.tif 000003
【図２】
2005522251.tif 000004
【図３】
2005522251.tif 000005
【図４】
2005522251.tif 000006
【図５】
2005522251.tif 000007
【国際調査報告】
2005522251.tif 000008
2005522251.tif 000009
2005522251.tif 000010